(57)【要約】【課題】  磁力により衣服に止まるようにするとともに、衣服への取付状態を解除する操作を容易なものとする。【解決手段】  装身具１０２は、衣服の服地１の表と裏とから磁力で互いに引き合うことにより、衣服に止まるようにした一組の部材３，５を有している。部材３，５は、カップ状の筒体４，６と、それらに収容される円板状の永久磁石７，９とを、それぞれ有している。部材３には、装飾品１１が取り付けられている。部材３は、筒体４の外周面から外方に突出するように形成されたレバー１３を、さらに有し、部材５は、筒体６の底面に連結部１５を介して連結された円盤体１４を、さらに有している。レバー１３と円盤体１４とを、指で押圧することにより、梃子の原理により、磁石７と磁石９とを互いの間で傾斜させ、吸引力を弱めて装身具１０２を外すことができる。【選択図】  図２
2017086618.tif 000002
【特許請求の範囲】
【請求項１】
一組の磁石をそれぞれ有し、衣服の服地の表と裏とから磁力により互いに引き合うことにより、前記衣服に止まるようにした一組の部材と、
前記一組の部材のうちの一方に取り付けられた装飾品と、を備え、
前記一組の部材は、前記一組の磁石を相対的に傾けることにより、引き合う状態を解除するための一組の張出部であって、前記一組の部材が前記服地を挟んで引き合って止まるときの当該服地から離れた位置において、前記一組の磁石の周縁外方にそれぞれ張り出す一組の張出部を有する、装身具。
【請求項２】
前記一組の部材のうちの他方が有する前記張出部は、当該他方が有する前記磁石の全周にわたって、前記周縁外方に張り出している、請求項１に記載の装身具。
【請求項３】
前記一組の部材のうちの前記他方が有する前記張出部は、当該他方が有する前記磁石を中心として円形状に、前記周縁外方に張り出している、請求項２に記載の装身具。
【請求項４】
前記一組の部材のうちの前記他方が有する前記張出部は、水平面上に前記装身具を載置したときの支持台として機能する形状である、請求項２又は３に記載の装身具。
【請求項５】
前記一組の部材のうちの前記他方には前記張出部を含めて、当該他方を前記衣服の服地の表に止めたときに当該衣服の外側から目視し得る装飾が、施されている請求項２から４のいずれかに記載の装身具。
【請求項６】
前記一組の部材のうちの前記一方が有する前記張出部は、前記装飾品と調和する美観を具備する請求項１から５のいずれかに記載の装身具。
【請求項７】
前記一組の部材を連結する鎖又は紐体を、さらに備える請求項１から６のいずれかに記載の装身具。
【請求項８】
前記一組の磁石はネオジム磁石である、請求項１から７のいずれかに記載の装身具。
【発明の詳細な説明】
【技術分野】
【０００１】
本発明は、衣服に付して使用するブローチ等の装身具に関する。
【背景技術】
【０００２】
従来のブローチ等の装身具は、装身具の本体である装飾品の裏側にピンが突出しており、これを衣服に突き刺したり、襟のボタン穴に通したりした後、裏側からピンを留め具にて捕捉することにより、装飾品が衣服に止まるようになっていた。ピンで衣服を刺すことから衣服を傷める恐れがあるのに加え、留め具は頂部のつまみを指で引くことにより解除できることが使用者に直ちには分かりづらく、ネジであるかのように誤って回転させて解除しようとする使用者が多かった、という問題点があった。
【０００３】
かかる問題点を解決しようとする技術として、特許文献１に開示される装身具が知られている。この装身具は、衣服の服地の表と裏とから磁力で引き合うことにより、衣服に止まるようにした一組の部材の一方に、装飾品を取り付けた点に特徴を有する。しかし、この装身具は、衣服に取り付けた状態を解除するために、強力な磁力で引き合う一組の部材を、互いに引き離すことが容易でない、という問題点があった。
【先行技術文献】
【特許文献】
【０００４】
【特許文献１】特開平１０−３２７９１７号公報
【発明の概要】
【発明が解決しようとする課題】
【０００５】
本発明は上記の問題点に鑑みてなされたもので、磁力により衣服に止まるようにするとともに、衣服への取付状態を解除する操作を容易なものとした装身具を提供することを目的とする。
【課題を解決するための手段】
【０００６】
上記課題を解決し上記目的を達成するために、本発明のうち第１の態様によるものは、装身具であって、一組の磁石をそれぞれ有し、衣服の服地の表と裏とから磁力により互いに引き合うことにより、前記衣服に止まるようにした一組の部材と、前記一組の部材のうちの一方に取り付けられた装飾品と、を備えている。前記一組の部材は、前記一組の磁石を相対的に傾けることにより、引き合う状態を解除するための一組の張出部であって、前記一組の部材が前記服地を挟んで引き合って止まるときの当該服地から離れた位置において、前記一組の磁石の周縁外方にそれぞれ張り出す一組の張出部を有している。
【０００７】
この構成によれば、一組の部材が衣服の服地の表と裏とから磁力で互いに引き合うことにより、装身具が衣服に装着されているときに、一方の手の指又は両方の手の指を使って、一組の張出部に、互いに近づくように又は離れるように力を加えることにより、一組の磁石を互いの間で傾けることができる。それにより、一組の磁石の間に作用する磁気的吸引力は急激に弱まるので、一組の部材の引き合う状態が解除される。このように、一組の張出部に指圧を加えることにより、装身具を衣服から容易に取り外すことが可能となる。
【０００８】
本発明のうち第２の態様によるものは、第１の態様による装身具であって、前記一組の部材のうちの他方が有する前記張出部は、当該他方が有する前記磁石の全周にわたって、前記周縁外方に張り出している。
【０００９】
この構成によれば、装身具を衣服に取り付けたときの一組の部材の姿勢によらず、一組の張出部に指圧を加えることにより、装身具を衣服から容易に取り外すことが可能となる。
【００１０】
本発明のうち第３の態様によるものは、第２の態様による装身具であって、前記一組の部材のうちの前記他方が有する前記張出部は、当該他方が有する前記磁石を中心として円形状に、前記周縁外方に張り出している。
【００１１】
この構成によれば、装身具を衣服に取り付けたときの一組の張出部の姿勢によらず、一組の張出部に同じ大きさの指圧を加えることにより、装身具を衣服から容易に取り外すことが可能となる。
【００１２】
本発明のうち第４の態様によるものは、第２又は第３の態様による装身具であって、前記一組の部材のうちの前記他方が有する前記張出部は、水平面上に前記装身具を載置したときの支持台として機能する形状である。
【００１３】
この構成によれば、他方の部材が有する張出部を支持台として、装身具を机上等に載置することが可能となる。
【００１４】
本発明のうち第５の態様によるものは、第２から第４のいずれかの態様による装身具であって、前記一組の部材のうちの前記他方には前記張出部を含めて、当該他方を前記衣服の服地の表に止めたときに当該衣服の外側から目視し得る装飾が、施されている。
【００１５】
この構成によれば、他方部材を衣服の服地の表に止めて、装身具として使用することも可能となる。すなわち装身具のリバーシブルな使用が可能となる。
【００１６】
本発明のうち第６の態様によるものは、第１から第５のいずれかの態様による装身具であって、前記一組の部材のうちの前記一方が有する前記張出部は、前記装飾品と調和する美観を具備する。
【００１７】
この構成によれば、一方部材が有する張出部も装飾を構成し、装飾品の美観を損なわない。
【００１８】
本発明のうち第７の態様によるものは、第１から第６のいずれかの態様による装身具であって、前記一組の部材を連結する鎖又は紐体を、さらに備える。
【００１９】
この構成によれば、一組の部材が互いに分散してしまうことを防ぐことができる。
【００２０】
本発明のうち第８の態様によるものは、第１から第７のいずれかの態様による装身具であって、前記一組の磁石はネオジム磁石である。
【００２１】
この構成によれば、一組の磁石の磁気的吸引力が強力であるので、装身具が厚手のスーツへの装着にも適したものとなる。
【発明の効果】
【００２２】
以上のように本発明によれば、磁力により衣服に止まるようにするとともに、衣服への取付状態を解除する操作を容易なものとした装身具が実現する。
【図面の簡単な説明】
【００２３】
【図１】本発明の一実施の形態による装身具を例示する図であり、（ａ）は外観図、（ｂ）は使用状態の断面図である。
【図２】本発明の別の実施の形態による装身具を例示する図であり、（ａ）は外観図、（ｂ）は使用状態の断面図である。
【発明を実施するための形態】
【００２４】
図１は、本発明の一実施の形態による装身具を例示する図であり、図１（ａ）は外観を例示する斜視図、図１（ｂ）は使用形態を例示する断面図である。この装身具１０１は、衣服の服地１の表と裏とから磁力で互いに引き合うことにより、衣服に止まるようにした一組の部材３，５を有している。部材３，５は、一例として、一方端が開口したカップ状の筒体４，６と、これらの筒体４，６に収容された円板状の永久磁石７，９と、をそれぞれ有している。永久磁石７，９は、筒体４，６から脱落しないように、例えば接着材により筒体４，６に接着されている。永久磁石７，９は、一例としてネオジム磁石である。ネオジム磁石の磁気的吸引力は強力であるので、衣服がスーツのような厚手の服地１からなるものであっても、部材３，５は互いに引き合い、服地１に吸着させることができる。
【００２５】
部材３には装飾品１１が、例えば接着剤により取り付けられている。すなわち装身具１０１は、部材３を服地１の人目に触れる表側に、部材５を人目に触れない裏側に止めることにより、使用に供される。図１に例示する装飾品１１は、花びらをあしらったものであり、例えば布あるいは樹脂製である。部材３，５は、互いに分散しないように、例えば装飾性を具備する鎖１０あるいは紐体により、互いに連結されている。鎖１０等は、例えば、装身具１０１を衣服の胸の部分に装着するときには、衣服の襟の端縁１２を跨ぐようにし、装身具１０１を衣服のポケットに装着するときには、ポケットの開口端縁等を跨ぐようにすることにより、装身具１０１を衣服へ装着することができる。
【００２６】
図１（ｂ）に例示するように、磁気的吸引力により服地１に吸着している部材３，５を、互いに引き離して装身具１０１を衣服から取り外す操作を容易なものとするために、部材３はレバー１３をさらに有し、部材５は円盤体１４をさらに有している。レバー１３は、部材３の筒体４の外周面から外方に突出するように形成されている。レバー１３は、装飾品１１の美観を損なわないように、装飾品１１と調和した美観を具備するのが好ましい。図１の例では、花びらをあしらった装飾品１１と調和するように、レバー１３は葉をあしらっている。円盤体１４は、部材５の筒体６の底面に、連結部１５を介して連結されている。なお、筒体４，６、レバー１３、円盤体１４、及び連結部１５は、一例として金属製である。
【００２７】
レバー１３及び円盤体１４はいずれも、磁石７，９を互いに傾ける梃子として機能するように、対応する磁石７，９の周縁外方に張り出した部材であり、レバー１３は磁石７の周縁の一部の外方に張り出し、円盤体１４は磁石９の周縁全体の外方に張り出している。円盤体１４と磁石９とは、磁石７，９が吸引し合う方向に、互いにずれて配置されているが、円盤体１４が磁石９の周縁外方に張り出していることに変わりはない。ここで、磁石７，９の周縁とは、磁石７，９が互いに引き合う方向からみたときに、磁石７，９の輪郭をなす周縁であり、図１に例示するように磁石７，９が円板状である場合には、その側面である。レバー１３を、図１（ｂ）に矢印で示すように、服地１に近づく方向、又は服地１から遠ざかる方向に指で押圧し、別の指で円盤体１４を、レバー１３を押圧する方向とは反対の方向に押圧することにより、梃子の原理により、磁石７と磁石９の一方を他方に対して傾斜させることができる。図１（ｂ）には、レバー１３を服地１から遠ざかる方向に押圧したときの、筒体４及びレバー１３の姿勢を、二点鎖線で示している。このように、磁石７と磁石９とが互いに傾斜した姿勢を取ると、磁石７と磁石９の間の距離が長くなるため、それらの間に作用する磁気的吸引力は著しく減少する。その結果、吸引力が不足し、部材３，５は、服地１への吸着状態を脱し、服地１から外れる。このように、部材３がレバー１３を有し、部材５が円盤体１４を有するので、衣服に装着した装身具１０１を、衣服から容易に取り外すことができる。図１（ｂ）に例示するように、レバー１３及び円盤体１４は、服地１からある程度の間隔を有するように形成されている。このため、レバー１３及び円盤体１４は、互いに近づく方向に指圧を加えることができ、また、服地１とそれぞれとの間に指を挿入して互いに離れる方向に指圧を加えることも可能である。
【００２８】
円盤体１４は、磁石９の周縁の全周にわたって、周縁外方に張り出しているので、部材３と部材５の姿勢によらずに、レバー１３と円盤体１４とに指圧を加えることができる。すなわち、装身具１０１を衣服に装着するときに、部材３と部材５の姿勢を選ぶ必要がない。特に、円盤体１４の外周端縁は、磁石９を中心とした円形であり、磁石９からの距離が、周方向の位置にかかわりなく一定であるので、部材３と部材５の姿勢にかかわりなく、レバー１３と円盤体１４とに一定の力を付与することにより、装身具１０１を、衣服から容易に取り外すことができる。
【００２９】
円盤体１４は、底面が平坦であるので、装身具１０１の支持台としても機能する。すなわち、部材３，５を互いに吸着させた状態で、円盤体１４を支持台として、装身具１０１を平坦な机上等の上に載置して、保管したりあるいは室内装飾として使用したりすることができる。
【００３０】
円盤体１４の底面には、刻印あるいは印刷などにより、装飾が施されていてもよい。そうすることにより、衣服の種類やデザイン、あるいは装身具１０１を着用する場面などに応じて、装身具１０１を表裏リバーシブルに使用することが可能となる。
【００３１】
円盤体１４の底面は、平坦でなくとも、例えば底面が凹面状であるなど、支持台として機能する形状として、様々な形状を採り得ることは自明である。また、円盤体１４に代えて、輪郭形状が楕円あるいは異形である張出部を用いてもよい。また、レバー１３と同様に、磁石９の周縁の一部の外方に張り出すレバーを、円盤体１４に代えて用いてもよい。さらに、レバー１３は、磁石７の周縁に沿った複数箇所に設けられても良く、円盤体１４と同様に、磁石７の周縁の全周にわたって、周縁外方に張り出す張出部に代えてもよい。
【００３２】
図２は、本発明の別の実施の形態による装身具を例示する図であり、図２（ａ）は外観を例示する斜視図、図２（ｂ）は使用形態を例示する断面図である。図２において、図１の装身具１０１と対応する部材には、同一の符号を付して、その詳細な説明を略する。この装身具１０２では、装飾品１１が布製であり、永久磁石７を保持する筒体４が、装飾品１１の外側表面をなす袋状の布に包み込まれている。筒体４が外部から見えないので、装飾品１１の装飾的効果がより高まる。装身具１０１と同様に、筒体４の外周面から外方に突出するように形成されたレバー１３は、その付け根部分が、装飾品１１の外側表面をなす袋状の布を貫通することにより、末端を含む大半部が、装飾品１１の外側に露出している。これにより、柔らかい装身具１１に力を加えることなく、レバー１３にのみ指の力を加えることが可能となっている。装飾品１１の外側表面をなす袋状の布の内側には、布が詰まっており、かつ適宜に縫い込まれることにより、装飾品１１の形は保持され、かつ装飾品１１の中での筒体４の位置も、おおよそ一定に保持される。図２の例では、装飾品１１は薔薇の花びらをあしらっており、例えば金属製であるレバー１３は、これに調和するように葉をあしらっている。装身具１０２においいても、装身具１０１と同様に、様々な変形形態があり得る。例えば、円盤体１４の底面に装飾を施すことができ、それにより装身具１０２を表裏リバーシブルに使用することが可能となる。
【符号の説明】
【００３３】
１  服地；  ３，５  部材；  ４，６  筒体；  ７，９  永久磁石；  １０  鎖；  １１  装飾品；  １２  端縁；  １３  レバー（張出部）；  １４  円盤体（張出部）；  １５  連結部；１０１  装身具
【図１】
2017086618.tif 000003
【図２】
2017086618.tif 000004